(57)【要約】【課題】  射出成形品の厚み寸法を簡単に調整する。【解決手段】  可動側金型２００の可動側キャビティ２１１内に、底面に傾斜角を有する入れ子２１２と、その上面に同一の傾斜角を有する厚み調整スペーサー２１３とを、前記入れ子２１２の底面を前記厚み調整スペーサー２１３の上面に接して設け、更に、前記厚み調整スペーサー２１３の左右に突出して厚み調整ピン２２１を設け、該厚み調整ピン２２１の頭部を押す調整ネジ２２２を厚み調整ピン２２１の左右に夫々設けておく。一方の調整ネジ２２２を緩め、他方の調整ネジ２２２を締め込んで、厚み調整スペーサー２１３を移動させることにより、前記入れ子２１２を上下方向に移動させて、プラスチック材充填用として金型３００内に入れ子２１２を用いて形成する製品キャビティ２１０の厚みを調整した。【選択図】    図１
2009126027.tif 000002
【特許請求の範囲】
【請求項１】
プラスチック射出成形用の金型構造において、可動側金型の可動側キャビティ若しくは固定側金型の固定側キャビティ内に、底面に傾斜角を有する入れ子と、その上面に同一の傾斜角を有する厚み調整スペーサーとを、前記入れ子の底面を前記厚み調整スペーサーの上面に接して設け、厚み調整スペーサーを左右方向に移動させることにより、前記入れ子を上下方向に移動させて、射出成形品のプラスチック材充填用として前記入れ子を用いて形成する製品キャビティの厚みを調整することを特徴とするプラスチック射出成形用の金型構造。
【請求項２】
前記厚み調整スペーサーの左右に突出して厚み調整ピンを設け、該厚み調整ピンの頭部を前記厚み調整スペーサーのセンター方向に押すことが可能な調整ネジを厚み調整ピンの左右に夫々設けておき、一方の調整ネジを緩め、他方の調整ネジを締め込んで、緩めた調整ネジの方向に前記厚み調整スペーサーを移動させることで、前記入れ子を上下方向に移動させることを特徴とする請求項１に記載のプラスチック射出成形用の金型構造。
【請求項３】
前記入れ子の外周に設けた鍔部を、複数の押圧手段によって前記厚み調整スペーサーの方向に押し付けることで、前記入れ子の底面を前記厚み調整スペーサーの上面に密接させることを特徴とする請求項１乃至２のいずれか１項に記載のプラスチック射出成形用の金型構造。
【請求項４】
前記複数の押圧手段は、ボールプランジャーであることを特徴とする請求項３に記載のプラスチック射出成形用の金型構造。
【請求項５】
前記入れ子の底面と前記厚み調整スペーサーの上面とに一対の雌雄フックを設け、該雌雄フックを係合させることで、前記入れ子の底面を前記厚み調整スペーサーの上面に装着することを特徴とする請求項１乃至２のいずれか１項に記載のプラスチック射出成形用の金型構造。
【請求項６】
前記入れ子の上下方向の移動量を表示する目盛りを前記調整ネジに設けたことを特徴とする請求項２乃至５のいずれか１項に記載のプラスチック射出整形用の金型構造。
【請求項７】
前記射出成形品が導光板で、前記入れ子は光学駒であることを特徴とする請求項１乃至６のいずれか１項に記載のプラスチック射出成形用の金型構造。
【発明の詳細な説明】
【技術分野】
【０００１】
本発明は、プラスチック射出成形において、射出成形品の厚み調整が可能な金型構造に関する。
【背景技術】
【０００２】
図６は従来の射出成形機に用いる金型構造の断面図、図７は従来の射出成形機に用いる図６の金型構造のA部拡大断面図である。
【０００３】
従来のプラスチック射出成形において、射出成形品の厚み調整の為の金型構造に関しては、下記の特許文献１で開示された技術がある。
【０００４】
【特許文献１】特開２００３−２００４６０号公報
【０００５】
以下、特許文献１に開示された金型構造を従来の技術として図６、図７を用いて説明する。
【０００６】
従来の技術における金型５０は、可動側金型６０と固定側金型７０の一対で構成されていた。しかし、可動側金型６０は本願発明とは直接的な関係が無いので、その説明は省略する。
【０００７】
固定側金型７０は固定側基盤７７上に固定側鏡面盤７６を重ね、その上に、製品キャビティ６７の厚みを調整する為の厚み調整板７９と、金型内に充填した溶融樹脂が急速に冷やされない為に設ける断熱板７８と、射出成形製品の表面に模様を転写するため製品キャビティ６７に対向する面側に凹凸を設けたスタンパー７３とを設け、これらをスプルブッシュ７４の周りのスタンパーホルダー７５によって、固定側基盤７７上に固定し、また、固定側鏡面盤７７の外周には、製品の外周を規定する外周リング７１が、更にその外周リング７１の外周には固定側突き当てリング７２が設けてあった。そして、金型セッティングに際しては、可動側金型６０に設けた可動側突き当てリング６４と固定側突き当てリング７２を勘合させることで、可動側金型６０と固定側金型７０との位置出しを行っていた。
【０００８】
ところで、上述した従来の技術で厚み調整板７９を設けた理由は、製品キャビティ６７の厚み寸法精度を出すためである。即ち、射出成形する製品によっては、厚み寸法に高精度を要求される場合があるが、断熱板７８を加工して厚み調整を行おうとすると、寸法精度を出す事が容易でなく、従って装置のコストアップの原因になったり、また断熱板７８の厚みを加減すると断熱性能自体が変化してしまうという新たな問題も生じたから、従来は、加工し易く精度も出し易い金属製の厚み調整板７９を別に設けるケースが多かった。
【発明の開示】
【発明が解決しようとする課題】
【０００９】
しかしながら、従来の技術の金型構造では、射出成形品の厚み調整のためスペーサーを交換する場合は、一旦金型を射出成形機からおろして分解調整しなければならなかった。また、調整量が微少である場合、一度の金型調整では射出成形品の厚み調整が出来ず、調整作業を数回繰返すこともあった。また、導光板（液晶パネルのバックライト方式には、液晶パネルの直下に光源を配置する直下方式と、導光板を配してその端面に光源を配置するエッジライト方式がある。バックライトの薄型化の為にはエッジライト方式が有利であり、エッジライト方式では光利用効率向上、軽量化、低コスト化のために、導光板の材料、形状の改良、製造方法の見直しが盛んに行われている。尚、導光板の構成については後から詳述する。）の様に、成形条件や、射出成形品の厚みに光学特性が左右されるような製品の場合、成形条件及び射出成形品の厚みは相互に影響し合うので、個々での調整は難しく、光学特性を満足するためには総合的な調整が必要とされる。この為、光学特性を出す為の成形トライ回数が増えてしまうという問題を抱えていた。
【課題を解決するための手段】
【００１０】
本発明は上記課題を解決するために成されたものであり、解決する手段として、本発明の請求項１記載に係わる発明は、プラスチック射出成形用の金型構造において、可動側金型の可動側キャビティ若しくは固定側金型の固定側キャビティ内に、底面に傾斜角を有する入れ子と、その上面に同一の傾斜角を有する厚み調整スペーサーとを、前記入れ子の底面を前記厚み調整スペーサーの上面に接して設け、厚み調整スペーサーを左右方向に移動させることにより、前記入れ子を上下方向に移動させて、射出成形品のプラスチック材充填用として前記入れ子を用いて形成する製品キャビティの厚みを調整することを特徴とする。
【００１１】
また、本発明の請求項２記載に係わる発明は、前記厚み調整スペーサーの左右に突出して厚み調整ピンを設け、該厚み調整ピンの頭部を前記厚み調整スペーサーのセンター方向に押すことが可能な調整ネジを厚み調整ピンの左右に夫々設けておき、一方の調整ネジを緩め、他方の調整ネジを締め込んで、緩めた調整ネジの方向に前記厚み調整スペーサーを移動させることで、前記入れ子を上下方向に移動させることを特徴とする。
【００１２】
また、本発明の請求項３記載に係わる発明は、前記入れ子の外周に設けた鍔部を、複数の押圧手段によって前記厚み調整スペーサーの方向に押し付けることで、前記入れ子の底面を前記厚み調整スペーサーの上面に密接させることを特徴とする。
【００１３】
また、本発明の請求項４記載に係わる発明は、前記複数の押圧手段は、ボールプランジャーであることを特徴とする。
【００１４】
また、本発明の請求項５記載に係わる発明は、前記入れ子の底面と前記厚み調整スペーサーの上面とに一対の雌雄フックを設け、該雌雄フックを係合させることで、前記入れ子の底面を前記厚み調整スペーサーの上面に装着することを特徴とする。
【００１５】
また、本発明の請求項６記載に係わる発明は、前記入れ子の上下方向の移動量を表示する目盛りを前記調整ネジに設けたことを特徴とする。
【００１６】
また、本発明の請求項７記載に係わる発明は、前記射出成形品が導光板で、前記入れ子は光学駒であることを特徴とする。
【発明の効果】
【００１７】
本発明の効果として、底面に傾斜角を有する入れ子と、上面に同一の傾斜角を有する厚み調整スペーサーとを、入れ子の底面を厚み調整スペーサーの上面で支持して設け、厚み調整スペーサーを左右方向へ移動させることにより、入れ子を上下方向に移動させて、射出成形品のプラスチック材充填用として入れ子を用いて形成する製品キャビティの厚みを調整できる様にしたので、成型作業において成形品の厚みを調整したい場合、金型を射出成形機からおろして、分解調整しなくても任意の量の厚み調整が可能となり、成形品の特性を出す為の成形トライの回数が少なくて済むようになった。
【００１８】
また、厚み調整スペーサーの左右に突出して厚み調整ピンを設け、該厚み調整ピンの頭部を前記厚み調整スペーサーのセンター方向に押すことが可能な調整ネジを厚み調整ピンの左右に夫々設たので、左右の厚み調整ネジによって、厚み調整ピンを介して厚み調整スペーサーを外部から左右に微少移動させて、微少移動後は、厚み調整ネジによってしっかり固定することが可能となり、その結果、製品キャビティの厚みを外部から微調整することが可能になった。
【００１９】
また、入れ子の外周に鍔部を設け、該鍔部を複数の押圧手段で厚み調整スペーサー方向に押し付けることで入れ子底面と厚み調整スペーサー上面とを密接させたので、溶融樹脂を金型に充填する際、入れ子の移動がなくなり成形品の歩留まりが向上した。
【００２０】
また、押圧手段にボールプランジャーを用いたので、安価で品質の安定した市販品が入手可能になり、また押圧手段の組み付けや押圧力の調整も容易になった。
【００２１】
また、入れ子の底面と厚み調整スペーサーの上面とに一対の雌雄フックを設け、該雌雄フックを係合させることで、入れ子の底面を前記厚み調整スペーサーの上面に装着する様にしたので、鍔部とボールプランジャーがなくなり、同じ金型内で製品キャビティを横方向により大きく取れるメリットを生じた。
【００２２】
また、調整ネジのネジピッチと入れ子及び厚み調整スペーサーに設けられた傾斜角との関係を基にして、入れ子の上下方向の移動量を表示する目盛りを前記調整ネジに設けたので、成形品の厚み調整がより容易になった。
【００２３】
更に、射出成形品が導光板の場合、導光板の設計上の光学特性を引き出す為の厚みを含む複数の成形条件の整合取りが容易になった。
【発明を実施するための最良の形態】
【００２４】
以下、本発明の実施の形態を実施例１〜３について図を用いて説明する。
【実施例１】
【００２５】
次に本発明の実施例１を、図１と図２を用いて説明する。図１は本発明の実施例１におけるプラスチック射出成形用の金型構造で、図１（ａ）は金型構造の断面図、図１（ｂ）は図１（ａ）におけるA−A断面図、図２は図１に示した金型構造を備えた金型の全体外観図である。
【００２６】
本発明の実施例１として以下で説明する金型構造では、図２で示す外観を備えた金型を、射出成形機に装着して使用する。そこで、先ず、図２を用いながら実施例１における金型の全体像を説明しておく。
【００２７】
本発明の実施例１の金型３００は固定側金型１００と可動側金型２００とに大別される。が、射出成形機の固定側プラテンには、固定側取付け板１０１を介して固定側型板１０２が、また、可動側プラテンには、可動側取付け板２０１及びスペーサー２０３を介して、可動側受板２０４ならびに可動側型板２０２が取付けられている。そして、射出成形に際しては、ミニホッパー１０３からスプルー１０４、ゲート２０５を通過した溶融樹脂を、製品キャビティ２１０内に流入させ、樹脂が固化したら、可動側金型２００を下げながら、ランナーエジェクトピン２０６と製品エジェクトピン２０７を突き上げてランナー及び成形製品を射出成形機から取り出している。
【００２８】
続いて、図１を用いながら実施例１の金型構造の詳細説明に移る。固定側型板１０２の可動側型板２０２対向面の中央部には、固定側キャビティ１１１が埋め込まれており、また、可動側型板２０２の固定側型板１０２対向面の中央部には、可動側キャビティ２１１が埋め込まれていて、固定側キャビィ１１１と可動側キャビィ２１１とが対向している。そして、射出成形加工時には、可動側金型２００が固定側金型１００に対して上下移動するので、ＰＬ（パーティングライン）は、固定側キャビィ１１１と可動側キャビィ２１１の対向面に形成される。
【００２９】
本発明の実施例１の金型構造では、可動側型板２０２の中央部に、可動側キャビティ２１１と、入れ子２１２と、厚み調整スペーサー２１３とを収納するため、矩形状をした深さ方向に二段から成るコア格納穴２０２Ｈが設けてある。そして、コア格納穴２０２Ｈの一段目には、中央部分に入れ子摺動穴２１１Ｈが設けてある可動側キャビティ２１１が格納され、更に、該入れ子摺動穴２１１Ｈには上下方向に摺動自在で、かつ底面に左右方向の傾斜を有する入れ子２１２が格納されている。また、入れ子２１２の下側に位置するコア格納穴２０２Ｈの二段目部分には、上面（製品キャビティ２１０側）に入れ子２１２の底面（製品キャビティ２１０と反対側）に設けた傾斜と同一の傾斜角を有する厚み調整スペーサー２１３が格納されており、入れ子２１２の下端に設けた鍔部２１２Ｔを、可動側キャビティ２１１に設けたボールプランジャー２１４によって、下側に押圧することで、厚み調整スペーサー２１３と、入れ子２１２を斜面同士で密接させている。
【００３０】
また、固定側型板１０２と固定側キャビティ１１１とには、溶融樹脂供給用の孔であるスプルー１０４が、ミニホッパー１０３から可動側キャビティ２１１方向に向けて連通しており、この連通孔は、更にゲート２０５を経由して、固定側金型１００と可動側金型２００とで形成される製品キャビティ２１０迄達している。
【００３１】
また、実施例１における金型構造では、厚み調整スペーサー２１３の傾斜方向の左右両端に、厚み調整ピン２２１がネジ止めされており、この厚み調整ピン２２１は、可動側型板２０２に開けられたガイド穴２０２ＧＨに沿って厚み調整スペーサー２１３と一体的に移動可能であり、この移動は、可動側型板２０２の左右に設けた調整ネジ２２２によって夫々左右の厚み調整ピン２２１の頭部を押すことで行われる。そして、厚み調整スペーサー２１３の左右方向の移動に従い、入れ子２１２が上下方向に移動して、製品キャビティ２１０の上下方向の寸法を変化させている。
【００３２】
次に、本発明の実施例１における金型３００の利用法の説明に移る。先ず、金型３００をセットする為に、左右の調整ネジ２２２を緩めたり、締めこんだりして、目標とする製品性能が実現すると予想される厚みを得ると判断した位置迄入れ子２１２を移動させてから、左右の調整ネジ２２２で入れ子２１２をしっかりと固定した後、射出成形機の可動側プラテンを移動させて、可動側キャビティ２１１を固定側キャビティ１１１に圧接させる。この様な状態下で、溶融樹脂をスプルー１０４、ゲート２０５を通して製品キャビティ２１０内に充填させ、樹脂が硬化した時点で、可動側金型２００を下げて、固定側金型１００から分離した後、図２で示したランナーエジェクトピン２０６と製品エジェクトピン２０７を突き上げて、ランナー及び成形製品を射出成形機から取り出す。
【００３３】
量産前に行う金型３００のセッティング段階では、その後、射出成形品の厚み等に基づく性能検査を実施する。そして、製品性能上、製品の厚みをより厚くすることが必要であると判断された場合は、右側の調整ネジ２２２を緩め、左側の調整ネジ２２２を締め込む。これにより、厚み調整スペーサー２１３が右側に移動して、入れ子２１２は下方へ移動し、この結果、製品キャビティ２１０の上下方向の寸法が増し、射出成形品は厚くなる。逆に射出成形品を薄くする場合は、左側の調整ネジ２２２を緩め、右側の調整ネジ２２２を締め込めば、厚み調整スペーサー２１３が左側に移動し、入れ子２１２は上方へ移動するので、射出成形品を形成する空間である製品キャビティ２１０部分が薄くなり射出成形品は薄くなる。このようにして厚み調整を行いながら射出成形品が設計した製品性能を満足していることを確認してから射出成形品の量産に入る。
【００３４】
本発明の実施例１の金型構造で得られる効果としては、成型作業工程中に成形品の厚みを調整することが容易になったことが先ずあげられる。即ち、厚み調整スペーサーを左右方向へ移動させることにより、入れ子を上下方向に移動させて、固定側キャビティと入れ子とで形成するプラスチック材充填用の製品キャビティの厚みを調整できる様に構成したので、成形品の厚みを微調整したい場合、従来の技術で説明した様な数種の厚み調整板を準備したり、金型を分解したり組み立てたりしなくても任意の量の厚み調整が可能となり、射出成形品の特性を出す為の成形トライの回数も少なくて済むようになった。
【００３５】
また、厚み調整スペーサーを左右方向に微少移動させるのに、厚み調整スペーサーと一体に移動する厚み調整ピンを、外部に設けた厚み調整ネジによって金型のセンター方向に押す様にしたので、厚み調整スペーサーと傾斜面で接している入れ子を外部から上下方向に微少調整することが容易になった。
【００３６】
また、複数のボールプランジャーによって入れ子の鍔部を厚み調整スペーサー側に押圧して製品キャビティ部分を確保しているので、入れ子の上下移動時の引っ掛かりが無くなり、数μｍレベルの調整が可能となった。
【００３７】
また、入れ子の押圧手段には、コイルスプリングやリーフスプリング等を用いても構わないが、実施例１で説明したボールプランジャーを用いれば、品質の安定した市販品が容易に入手可能となり、取付けも押圧力の調整も容易である効果が得られた。
【００３８】
尚、以上説明した実施例１では、可動側金型の可動側キャビティ内に、底面（即ち、製品キャビティと反対側）に傾斜角を有する入れ子と、その上面（即ち、製品キャビティ側）に同一の傾斜角を有する厚み調整スペーサーとを、前記入れ子の底面を前記厚み調整スペーサーの上面に接して設けたが、固定側金型の固定側キャビティ内に、底面に傾斜角を有する入れ子と、その上面に同一の傾斜角を有する厚み調整スペーサーとを、前記入れ子の底面を前記厚み調整スペーサーの上面に接して設けても全く同一の効果が得られる。また、実施例１で説明した様な押圧手段を設けなくても製品性能が得られる場合でも、入れ子に鍔部を設けておけば、金型を横向きに設置する場合、入れ子抜け落ち防止効果を得ることができる。
【実施例２】
【００３９】
次に、本発明における実施例２の金型構造を、主として図３を用いながら説明する。図３は本発明の実施例２におけるプラスチック射出成形用の金型構造を示し、図３（ａ）は金型構造の断面図、図３（ｂ）は図３（ａ）におけるA−A断面図である。
【００４０】
実施例２の場合の金型５００を、既に説明した実施例１の場合と比較すると、固定側金型１００は全く同一であり、可動側金型４００の構成のみが相違する。即ち、本発明の実施例２における金型５００の全体像は、実施例１の場合として図２に示した可動側型板２０２の代わりに、図３で示した可動側金型４００を用いて構成したものである。
【００４１】
次に図３を用いながら、本発明の実施例２の金型構造の詳細な説明に移るが、前述の通り、可動側金型４００部分を除いて、実施例１の場合と全く同一であるので、実施例２の説明では、実施例１の場合と同一の部品には同一の符号を付し、また、可動側金型４００以外の説明は簡単に留める。
【００４２】
本発明の実施例２の金型構造においても、可動側型板４０２の中央部に、可動側キャビティ４１１と、入れ子４１２と、厚み調整スペーサー４１３とを収納するため、矩形状をした深さ方向に二段から成るコア格納穴４０２Ｈが設けてある。そして、コア格納穴４０２Ｈの一段目には、中央部分に入れ子摺動穴４１１Ｈを有する可動側キャビティ４１１が格納され、該入れ子摺動穴４１１Ｈには上下方向に摺動自在で、かつ底面で左右方向に傾斜（左から右に向かって下がる）を有する入れ子４１２が格納され、入れ子４１２の底面には雌型フック４１２Ｆが設けられ、該雌型フック４１２Ｆは左右方向で傾斜している。
【００４３】
また、入れ子４１２の下側に位置するコア格納穴４０２Ｈの二段目部分には、厚み調整スペーサー４１３が格納され、厚み調整スペーサー４１３の上面には、入れ子４１２の底面に設けた雌型フック４１２Ｆと同一の傾斜角を持った雄型フック４１３Ｍが設けられている。そして、該雄型フック４１３Ｍと、入れ子４１２の底面に設けた雌型のフック４１２Ｆとが嵌合し、厚み調整スペーサー４１３と入れ子４１２とは斜面同士で密接している。
【００４４】
本発明の実施例２における金型５００の利用法は、既に説明した実施例１の場合と同一である。即ち、実施例２における金型構造でも、図３に示す金型５００を、従来の技術で説明した様な射出成形機に装着して使用する。そして、左右の調整ネジ４２２を適当に締め込むことによって、厚み調整スペーサー４１３を左右方向に移動させて、雌雄フック４１２Ｆ、４１３Ｍの嵌合位置を変えることで目標とする射出成形品の厚みが実現すると予想される位置迄入れ子４１２を動かしてから、厚み調整スペーサー４１３を左右の調整ネジ４２２でしっかりと固定してから、可動側キャビティ４１１を固定側キャビティ１１１に圧接する。
【００４５】
その後、形成した製品キャビティ４１０内に溶融樹脂を充填し、樹脂が硬化したら射出成形品を取り出して性能検査を行う。その結果、製品の厚みをより厚くすることが製品性能上適当であると判断した場合は、右側の調整ネジ４２２を緩め、左側の調整ネジ４２２を締め込めば、厚み調整スペーサー４１３が右側に移動するので入れ子４１２は下方へ移動して、製品キャビティ４１０の上下方向寸法が増すので射出成形品は厚くなる。逆に射出成形品を薄くしたい場合は、左側の調整ネジ４２２を緩め、右側の調整ネジ４２２を締め込めばよい。
【００４６】
次に実施例２の効果の説明に移る。実施例２の構成を既に説明した実施例１の場合と比較すると、実施例１では、入れ子と厚み調整スペーサーを密接させる為に、鍔やボールプランジャーを用いたが、実施例２の場合は、入れ子の底面と厚み調整スペーサーの上面とに一対の雌雄フックを設けている点が相違するが、その他の構成は全く同一であり、従って、効果も実施例１の場合と略同一である。即ち、厚み調整スペーサーを左右方向へ移動させて入れ子を上下方向に移動させ、固定側キャビティと入れ子とで形成する製品キャビティの厚みを調整できる様に構成したので、成形品の厚みを微調整したい場合、金型を分解しなくても厚み調整が可能となり、その結果、射出成形品の特性を出す為の成形トライの回数が少なくて済み、また、成型作業工程中に成形品の厚みを調整することも可能になった。また、金型外部に設けた厚み調整ネジによって入れ子を上下方向に微少移動する様にしたので、金型外部から容易に微調整することが可能になった。また、実施例２の特有の効果として、鍔部とボールプランジャーがなくなり、製品キャビティを横方向に大きく取れるというメリットが得られた。
【００４７】
尚、実施例２では、可動側金型の可動側キャビティ内に、底面（即ち、製品キャビティと反対側）に傾斜角を有する入れ子と、その上面（即ち、製品キャビティ側）に同一の傾斜角を有する厚み調整スペーサーとを、前記入れ子の底面を前記厚み調整スペーサーの上面に接して設けたが、固定側金型の固定側キャビティ内に、底面に傾斜角を有する入れ子と、その上面に同一の傾斜角を有する厚み調整スペーサーとを、前記入れ子の底面を前記厚み調整スペーサーの上面に接して設けても全く同一の効果が得られる。
【００４８】
また、実施例２においては、厚み調整スペーサー側に雄型のフックを、入れ子の底面側には雌型のフックを設けたが、雌雄フックの設置部品を入れ替えて、厚み調整スペーサー側に雌型のフックを、入れ子の底面には雄型のフックを設けても全く同一の効果が得られる。
【実施例３】
【００４９】
次に図４を用いながら実施例３の説明に移る。図４は本発明の実施例３におけるプラスチック射出成形用の金型構造の断面図である。実施例３の金型７００を、図１を用いて既に説明済みの実施例１の金型３００と比較すると、調整ネジ６２２及び指針２０２Ｓの構成だけが相違しているにすぎないので、図４を用いた実施例３の説明では、実施例１の場合と同一の部品に同一の符号を付し、調整ネジ６２２関連部分を除いて構成の説明は省略する。
【００５０】
図４に示した実施例３の金型構造では、調整ネジ６２２のネジピッチと、入れ子２１２及び厚み調整スペーサー２１３に設けられた傾斜角との関係を基にして、調整ネジ６２２の回転角に対する入れ子２１２の上下方向の移動量を表示する目盛り６２２Ｍを前記調整ネジ６２２の頭部に設け、それと同時に、可動側型板２０２の調整ネジ６２２取付け位置近傍に目盛り判読時の基準とする指針２０２Ｓを設けてある。
【００５１】
本発明の実施例３の金型構造を使用する場合も既に説明した実施例１や実施例２の場合と概略同じである。しかし、実施例３の場合は、試作品の厚みを計測し、目標とする厚みとの差を求めておいてから、調整ネジ６２２の頭部に記された目盛り６２２Ｍを見ながら調整ネジ６２２を必要量だけ回転させ、入れ子２１２を上下方向に移動させて製品キャビティ２１０の厚みを調整する。
【００５２】
実施例３の構成を既に説明した実施例１の場合と比較すると、調整ネジ６２２部分だけが相違し、その他の構成は全く同一であり、従って、効果も実施例１の場合と略同一の効果を生じる。即ち、厚み調整スペーサーを左右方向へ移動させて入れ子を上下方向に移動させ、固定側キャビティと入れ子とで形成する製品キャビティの厚みを調整できる様に構成したので、成形品の厚みを微調整したい場合、金型を分解しなくても厚み調整が可能となり、その結果、射出成形品の特性を出す為の成形トライの回数が少なくて済み、また、成型作業工程中に成形品の厚みを調整することも可能になった。また、金型外部に設けた厚み調整ネジによって入れ子を上下方向に微少移動する様にしたので、金型外部から容易に微調整することが可能になった。また、ボールプランジャーで入れ子を厚み調整スペーサーに押圧して製品キャビティを確保しているので、入れ子の上下移動時の引っ掛かりが無くなり、数μｍレベルの調整が可能となった。
【００５３】
尚、実施例３の特有の効果として、調整ネジのネジピッチと入れ子及び厚み調整スペーサーに設けられた傾斜角との関係を基にして、入れ子の上下方向の移動量を表示する目盛りを調整ネジに設けたので、成形品の厚み調整作業がよりやり易くなっている。また、図示を省略したが、調整ネジ頭部に設けた主要な目盛りに、入れ子の上下方向の移動量の目安になる数字を印せば厚み調整作業が更に容易になる。また、図示はしないが、実施例３の構成を既に説明した実施例２にも適用できる。
【００５４】
尚、以上説明した実施例３では、可動側金型の可動側キャビティ内に、底面（即ち、製品キャビティと反対側）に傾斜角を有する入れ子と、その上面（即ち、製品キャビティ側）に同一の傾斜角を有する厚み調整スペーサーとを、前記入れ子の底面を前記厚み調整スペーサーの上面に接して設けたが、固定側金型の固定側キャビティ内に、底面に傾斜角を有する入れ子と、その上面に同一の傾斜角を有する厚み調整スペーサーとを、前記入れ子の底面を前記厚み調整スペーサーの上面に接して設けても全く同一の効果が得られる。
（応用例）
【００５５】
次に、応用例として、特に大きな効果が得られる射出成形製品として導光板を取り上げるが、そのために、先ず、導光板の説明を行っておく。
【００５６】
図５は導光板を示し、図５（ａ）は導光板の平面図、図５（ｂ）は図５（ａ）の導光板の正面図である。
【００５７】
導光板８０１は透明な板状のプラスチック部材等からなり、導光板８０１の端面部には光屈折と光反射の機能を有する略逆台形形状をした穴８０３がＬＥＤ８０２の直上に配設されている。入射部８０４は、矩形で、その両サイドに反射部８０５が形成されている。導光板８０１の二枚の大平面は、片方が出光面８０１Bであり、反対側が光拡散面８０１Aとなり、光拡散面８０１Aの表面には複数の微少なシボや点状のドット等を配設して放射手段にしてある。（二点鎖線内）
【００５８】
上述の様な導光板８０１は、射出成形品として製造するのに適している。射出成形で導光板を製造する場合は、図１の実施例１で用いた入れ子２１２として、複数の微少なシボや点状のドット等の光学パターンを形成した光学駒を用いるが、それ以外の構成は、既に説明した実施例１の金型構造と全く同一であるので、ここでの説明は省略する。
【００５９】
応用例の様に、射出成形品が導光板である場合、厚みを含む多くの条件から成り立っている導光板の光学特性を引き出す為には、試作によって成形品の成形条件を調整する必要がある。しかし、本発明の金型構造を用いれば、成形品の厚み調整が容易に行えるので、成形条件の確定作業がスムーズに進む効果が得られる。
【００６０】
最後に発明全体の効果を総括すると、本発明の金型構造を用いることで、射出成形製品の任意の厚み調整が可能になり、また、射出成形製品の厚み調整をする為の金型の分解調整作業がいらなくなるので射出成形品の製造コストが削減する効果が得られる。また、サンプル出し迄の納期短縮が可能になるといった付随的効果も得られる。
【図面の簡単な説明】
【００６１】
【図１】本発明の実施例１におけるプラスチック射出成形用の金型構造を示し、図１（ａ）は射出成形機に用いる金型構造の断面図、図１（ｂ）は図１（ａ）におけるA−A断面図である。
【図２】本発明の金型構造を備えた金型の全体外観図である。
【図３】本発明の実施例２におけるプラスチック射出成形用の金型構造を示し、図３（ａ）は射出成形機に用いる金型構造の断面図、図３（ｂ）は図３（ａ）におけるA−A断面図である。
【図４】本発明の実施例３におけるプラスチック射出成形用の金型構造の断面図である。
【図５】本発明の金型構造を利用して製作する導光板を示し、図５（ａ）は導光板の平面図、図５（ｂ）は図５（ａ）の導光板の正面図である。
【図６】従来の技術における射出成形機に用いる金型構造の断面図である。
【図７】従来の技術における図６の金型構造のA部拡大断面図である。
【符号の説明】
【００６２】
１００  固定側金型
１０１  固定側取付け板
１０２  固定側型板
１０４  スプルー
１１１  固定側キャビティ
２００、４００、６００  可動側金型
２０１  可動側取付け板
２０２  可動側型板
２０３  スペーサー
２０４  可動側受け板
２０５  ゲート
２１０、４１０  製品キャビティ
２１１、４１１  可動側キャビティ
２１２、４１２  入れ子
２１２Ｔ  鍔部
２１３、４１３  厚み調整スペーサー
２１４  ボールプランジャー
２２１、４２１  厚み調整ピン
２２２、６２２  調整ネジ
３００、５００、７００  金型
４１２Ｆ  雌フック
４１３Ｍ  雄フック
６２２Ｍ  目盛り  
８０１  導光板
ＰＬ  パーテリングライン
【図１】
2009126027.tif 000003
【図２】
2009126027.tif 000004
【図３】
2009126027.tif 000005
【図４】
2009126027.tif 000006
【図５】
2009126027.tif 000007
【図６】
2009126027.tif 000008
【図７】
2009126027.tif 000009